(57)【要約】【課題】  雨樋の配設長さの採寸を一人作業で容易に、かつ、正確に行うことができる巻尺用治具を提供する。【解決手段】  巻尺Ｂの目盛帯５端部５１を載置する巻尺載置板体１の一端部に、雨樋Ｃ端部６を挿入する断面略コ字状の雨樋挿入溝体２を連設し、かつ、巻尺載置板体１の上面に着脱自在な巻尺押さえ板バネ片３を具設するとともに、雨樋挿入溝体２に昇降自在な雨樋押さえ具４を具設してなる。【選択図】図１
2006064477.tif 000002
【特許請求の範囲】
【請求項１】
巻尺の目盛帯端部を載置する巻尺載置板体の一端部に、雨樋端部を挿入する断面略コ字状の雨樋挿入溝体を連設し、かつ、巻尺載置板体の上面に着脱自在な巻尺押さえ板バネ片を具設するとともに、雨樋挿入溝体に昇降自在な雨樋押さえ具を具設してなることを特徴とする巻尺用治具。
【請求項２】
雨樋押さえ具が、螺軸体よりなる請求項１記載の巻尺用治具。
【請求項３】
巻尺載置板体の両側縁部に係止受部を形成するとともに、巻尺押さえ板バネ片の両側縁部に前記係止受部に係止する係止片を形成してなる請求項１または２記載の巻尺用治具。
【発明の詳細な説明】
【技術分野】
【０００１】
本願発明は、雨樋を配設施工する際に使用する巻尺用治具に関するものである。
【背景技術】
【０００２】
従来、建物の軒先等に軒樋等の雨樋を配設施工する場合には、図６に例示したように、工場生産された一定長さの雨樋１０１を建物の軒先１０２等に沿って順次配設施工している。
【０００３】
他方、建物の軒先１０２等の長さは必ずしも一定長さの雨樋１０１の倍数ではないため、順次連設して配設施工する最後の雨樋１０１は、軒先１０２等における配設長さを、脚立１０３等に登って巻尺１０４の目盛帯１０５を押さえる施工者１０６と目盛帯１０５を読む他の施工者１０７が巻尺１０４にて採寸した後、配設長さに合わせて雨樋１０１を切断して配設施工している。
【０００４】
また、雨樋の長さを測定する巻尺として、巻尺の目盛帯端部に係止部を固着した雨樋用巻尺が知られている（たとえば、特許文献１参照）。
【特許文献１】実開平２−１４１８０３号公報
【発明の開示】
【発明が解決しようとする課題】
【０００５】
しかしながら、図６に例示した雨樋１０１の配設施工においては、軒先１０２等における最後の雨樋１０１の配設長さを巻尺１０４にて採寸する場合には、脚立１０３等に登った施工者１０６が軒先１０２等に既に取り付けられた雨樋１０１の長さ方向の端部に巻尺１０４の目盛帯１０５の先端に合わせて押さえ、他方、脚立１０３等に登った他の施工者１０７が巻尺１０４の所定位置の目盛帯１０５の目盛を読むことによって採寸が行われる。このように、雨樋１０１の配設施工における雨樋１０１の配設長さの採寸作業は、巻尺１０４の目盛帯１０５の先端を合わせて押さえる施工者１０６と、巻尺１０４の目盛帯１０５の目盛を読む施工者１０７の二人が同時に作業する煩雑な二人作業となり、かつ、採寸の正確さという点でも満足すべきものであるとは言い難いという問題があった。
【０００６】
また、特許文献１記載の雨樋用巻尺においては、係止部を雨樋端部に引っ掛けて巻尺の目盛帯を雨樋の長さ方向に引き出して、雨樋の長さを測定することはできるものの、雨樋の配設方向には引き出すことができないため、雨樋の配設長さを測定することはできないという問題があった。
【０００７】
本願発明は、上記従来の問題点を解消するためになされたものであり、雨樋の配設長さの採寸を一人作業で容易に、かつ、正確に行うことができる巻尺用治具を提供することを課題とするものである。
【課題を解決するための手段】
【０００８】
本願発明は、上記の課題を解決するものとして、第１には、巻尺の目盛帯端部を載置する巻尺載置板体の一端部に、雨樋端部を挿入する断面略コ字状の雨樋挿入溝体を連設し、かつ、巻尺載置板体の上面に着脱自在な巻尺押さえ板バネ片を具設するとともに、雨樋挿入溝体に昇降自在な雨樋押さえ具を具設してなることを特徴とする。また、第２には、雨樋押さえ具が、螺軸体よりなることを特徴とし、そして、第３には、巻尺載置板体の両側縁部に係止受部を形成するとともに、巻尺押さえ板バネ片の両側縁部に前記係止受部に係止する係止片を形成してなることを特徴とする。
【発明の効果】
【０００９】
第１の発明によれば、雨樋の配設長さの採寸を一人作業で容易に、かつ、正確に行うことができる。
【００１０】
また、第２の発明によれば、上記第１の発明の効果に加えて、より簡単に雨樋の端部を保持することができる。
【００１１】
そして、第３の発明によれば、上記第１および第２の発明の効果に加えて、巻尺の目盛帯をより確実に挟着保持することができる。
【発明を実施するための最良の形態】
【００１２】
本願発明は、上記のとおりの特徴をもつものであるが、以下に、添付した図面に沿って、本願発明の実施形態について詳細かつ具体的に説明する。
【００１３】
図１は、本願発明の巻尺用治具の一実施形態を例示した全体斜視図である。図２は、本願発明の巻尺用治具における雨樋挿入溝体を連設した巻尺載置板体と雨樋押さえ具を例示した図であり、（Ａ）は平面図、（Ｂ）は側面図、（Ｃ）は背面図である。図３は、本願発明の巻尺用治具における巻尺押さえ板バネ片を例示した図であり、（Ａ）は平面図、（Ｂ）は側面図、（Ｃ）は正面図である。
【００１４】
この図１に沿って説明すると、本願発明の巻尺用治具Ａは、その主体として形成されている巻尺Ｂの目盛帯５の端部５１を載置する板体よりなる巻尺載置板体１の一端部に、雨樋Ｃの端部６を挿入する断面略コ字状の雨樋挿入溝体２を連設している。そして、さらに、この巻尺載置板体１の上面に、弾性的に係止される着脱自在な巻尺押さえ板バネ片３を具設するとともに、雨樋挿入溝体２の内部に突出させることのできる、昇降自在な雨樋押さえ具４を具設してなることを特徴としている。このような構成とすることで、後述するように、雨樋Ｃの配設長さの採寸を一人作業で容易に、かつ、正確に行うことができる。なお、巻尺Ｂの目盛帯５は、伸張（引き出し）および収納が自在で、伸張状態である程度の剛性を有していることが好ましい。また、雨樋Ｃとしては、たとえば、軒樋や竪樋等各種の雨樋Ｃを対象にすることができる。このとき、たとえば、軒樋の場合には軒先に沿って、また、竪樋の場合には壁面に沿って、巻尺Ｂの目盛帯５を引き出して採寸作業を行うことができる。
【００１５】
ついで、図２（Ａ）（Ｂ）（Ｃ）の例に沿って、雨樋挿入溝体２を連設した巻尺載置板体１を説明すると、巻尺載置板体１は板状に形成されているとともに、雨樋Ｃの端部６を挟持して保持するために、雨樋挿入溝体上片２１と雨樋挿入溝体下片２２とから形成されている断面略コ字状の雨樋挿入溝体２が連設されている。この雨樋挿入溝体下片２２の中央には、雨樋押さえ具４を取り付けるための挿通孔１２が設けられている。この雨樋押さえ具４は、ボルトや蝶ネジ等の螺軸体よりなるものとすることで、挿通孔１２に挿通、螺入しやすくなり好ましい。特に、蝶ネジの場合は、手指を引っ掛け易く力を入れ易いため、雨樋押さえ具４を締めることや緩ませることが容易になり好ましい。このとき、さらに、この図２の例のようにナット材１３を挿通孔１２と連通するように雨樋挿入溝体下片２２の外面に固着させて形成させることで、螺軸体を構成するボルトよりなる雨樋押さえ具４をスムーズに螺入することができる。
【００１６】
また、この図２に例示したとおり、巻尺載置板体１の左右の両側縁部には、巻尺押さえ板バネ片３を確実に係止させるために凹状の係止受部１１が形成されている。そして、また、板体の略一半部を目盛帯５を載置する巻尺載置板体１とするとともに、略他半部の中央に二本の切り込みを入れ、切り込み間を下方に向かって略Ｌ字状に折り返して雨樋挿入溝体２を形成し、折り返し基部に段部１４を形成してもよい。このように段部１４を形成することによって、目盛帯５の端部５１に具備されている掛止片５２を簡単に掛止めることができる。
【００１７】
また、図３（Ａ）（Ｂ）（Ｃ）の例に沿って巻尺押さえ板バネ片３を説明すると、バネ性を有する板片よりなる巻尺押さえ板バネ片３の両側縁部には、図２にて例示した巻尺載置板体１の係止受部１１と対応した位置で、かつ、弾性的に係止することのできる係止片３１が突出形成されている。つまり、巻尺載置板体１の上面に載置された目盛帯５は、図２に例示した巻尺載置板体１の係止受部１１に、この図３に例示した巻尺押さえ板バネ片３の係止片３１を係止させることで、スプリング効果が得られ、巻尺載置板体１と巻尺押さえ板バネ片３とで挟着して安定に保持することができる。そして、市販の巻尺Ｂは目盛帯５の幅が一般的に異なり、１０〜２５ｍｍ幅のものが汎用されているが、このような市販の巻尺Ｂでも本願発明の巻尺用治具Ａの巻尺載置板体１の幅内に収めることができるため、目盛帯５の幅を問わずに目盛帯５を簡単に、また、着脱自在に挟着して保持することができる。なお、係止片３１を前記係止受部１１に弾性的に係止させるためにその形状としては、たとえば、図３に例示したように、断面略Ｒ字状に形成してもよい。
【００１８】
図４は、図１の実施形態における雨樋を挿入した状態を例示した図であり、（Ａ）は平面図、（Ｂ）は側面図、（Ｃ）は背面図を示している。図５は、本願発明の巻尺用治具を用いた採寸作業を例示した斜視図である。
【００１９】
この図４（Ａ）（Ｂ）（Ｃ）に沿って説明すると、本願発明の巻尺用治具Ａは、まず図２に例示した巻尺載置板体１に、巻尺Ｂの目盛帯５の端部５１を載置し、図３に例示した巻尺押さえ板バネ片３を係止させることで、目盛帯５を確実に挟持して保持している。そして、雨樋Ｃを巻尺用治具Ａの雨樋挿入溝体２の奥まで確実に挿入し、挿入が完了した際に、図２および図３それぞれに例示した巻尺載置板体１の挿通孔１２に雨樋押さえ具４を螺入させて締めつけることで、雨樋挿入溝体２内に雨樋押さえ具４を突出させ、その先端４１で雨樋Ｃの端部６を押さえて保持する。つまり、雨樋Ｃの端部６の表裏は、雨樋挿入溝体上片２１と雨樋押さえ具４（その先端４１）とで挟持され（クランプ部として機能する）、安定に保持される。このとき、雨樋Ｃの端部６（正確には、端面６１）は、目盛帯５の端部５１に位置する。このため、通常、目盛帯５に記載された目盛値「０」は、目盛帯５の端部５１に設定されていることが多いことを考慮すると、雨樋Ｃの端部６（端面６１）が目盛帯５の端部５１に位置することで、目盛値「０」と雨樋Ｃの端部６（端面６１）とが一致し、雨樋Ｃの配設長さの採寸作業を正確に行うことができる。なお、雨樋Ｃを開放するときは、雨樋押さえ具４を緩めればよい。
【００２０】
なお、雨樋Ｃの端部６は、雨樋挿入溝体２を形成している雨樋挿入溝体上片２１と雨樋挿入溝体下片２２との間に挿入されている。また、多くの場合、掛止片５２は目盛帯５の端部５１に固着されているため、目盛帯５の掛止めと、目盛値「０」と雨樋Ｃの端部６（端面６１）とを一致させることが同時に実現できる。
【００２１】
そして、図５に例示したとおり、一人の施工者Ｄが脚立Ｅ等に登って、図１から図４に例示したように、巻尺用治具Ａを雨樋Ｃの端部６に取り付け、巻尺Ｂから目盛帯５を軒先に沿って引き出して、目盛を読むことが簡単にできる。
【００２２】
すなわち、本願発明の巻尺用治具Ａは、図１〜図４に例示したような構成とすることで、雨樋Ｃの配設長さの採寸を一人作業で容易に、かつ、正確に行うことができる。より詳しくは、本願発明の巻尺用治具Ａによって、市販の巻尺Ｂの目盛帯５でも簡単、かつ、着脱自在に保持することができるとともに、雨樋Ｃにも簡単、かつ、着脱自在に、しかも安定に保持させることができる。さらに加うるに、従来の二人の施工者による採寸作業において問題であった、目盛帯５を所定位置まで引き出す際の引き出し力によって、目盛帯５を保持している施工者の手から外れてしまった際に、再び目盛帯５を保持し直す等の作業を行わなければならないといった問題も解消することができる。
【００２３】
なお、図２（Ｃ）や図４（Ｃ）に例示したように、巻尺載置板体１の上面は、曲面状に形成されていてもよい。そして、このように曲面状に形成された巻尺載置板体１と対応するように、図３（Ｃ）や図４（Ｃ）に例示したように、巻尺押さえ板バネ片３の形状も曲面状とし、巻尺載置板体１と巻尺押さえ板バネ片３とを互いに目盛帯５を介して重合させることで、目盛帯５はこの曲面に沿って湾曲され、巻尺載置板体１と巻尺押さえ板バネ片３とにより確実に挟着して保持することができる。
【００２４】
もちろん、本願発明の巻尺用治具Ａは、以上の例示によって限定されるものではない。たとえば、巻尺押さえ板バネ片３の材質としては、ある程度の弾性と剛性を兼ね備えるものであれば特に制限されるものではなく、たとえば、各種の金属類等を使用することができる。また、雨樋押さえ部材３および昇降具４等についても、その材質は特に制限されるものではなく、たとえば、各種の金属類等を使用することができる。
【図面の簡単な説明】
【００２５】
【図１】本願発明の巻尺用治具の一実施形態を例示した全体斜視図である。
【図２】本願発明の巻尺用治具における雨樋挿入溝体を連設した巻尺載置板体と雨樋押さえ具を例示した図であり、（Ａ）は平面図、（Ｂ）は側面図、（Ｃ）は背面図である。
【図３】本願発明の巻尺用治具における巻尺押さえ板バネ片を例示した図であり、（Ａ）は平面図、（Ｂ）は側面図、（Ｃ）は正面図である。
【図４】図１の実施形態における雨樋を挿入した状態を例示した図であり、（Ａ）は平面図、（Ｂ）は側面図、（Ｃ）は背面図を示している。
【図５】本願発明の巻尺用治具を用いた採寸作業を例示した斜視図である。
【図６】従来の巻尺を用いた採寸作業を例示した斜視図である。
【符号の説明】
【００２６】
Ａ  巻尺用治具
１  巻尺載置板体
１１  係止受部
１２  挿通孔
１３  ナット材
１４  段部
２  雨樋挿入溝体
２１  雨樋挿入溝体上片
２２  雨樋挿入溝体下片
３  巻尺押さえ板バネ片
３１  係止片
４  雨樋押さえ具
４１  先端
Ｂ  巻尺
５  目盛帯
５１  端部
５２  掛止片
Ｃ  雨樋
６  端部
６１  端面
Ｄ  施工者
Ｅ  脚立
１０１  雨樋
１０２  軒先
１０３  脚立
１０４  巻尺
１０５  目盛帯
１０６、１０７  施工者
【図１】
2006064477.tif 000003
【図２】
2006064477.tif 000004
【図３】
2006064477.tif 000005
【図４】
2006064477.tif 000006
【図５】
2006064477.tif 000007
【図６】
2006064477.tif 000008